(57)【要約】【課題】充電器と携帯電子機器が接続されている状態で、携帯電子機器の表示部の限られた表示領域を有効に利用することができる電子機器充電システムを提供する。【解決手段】携帯電子機器２には、携帯電子機器２の状態を示すピクト領域と所望の画像を表示させるメイン領域とを有する表示部２１１と、充電端子と、充電器３と通信を行うＩ／Ｆとを設け、充電器３には、充電端子と接続する給電端子と、表示部３０６と、携帯電子機器２と通信を行うＩ／Ｆとを設け、携帯電子機器２は、充電器３に接続している際に、携帯電子機器２の状態に関する情報を充電器３に送信するとともに、表示部２１１からピクト領域をメイン領域として割り当てる表示領域変更処理を行って、メイン領域を広く用いて画像を表示させる。【選択図】図２
2005277697.tif 000002
【特許請求の範囲】
【請求項１】
充電器と、当該充電器に接続可能な携帯電子機器とを有する電子機器充電システムであって、
上記携帯電子機器は、
当該携帯電子機器の状態を示す状態表示領域と所望の画像を表示させる画像表示領域とを有する第１の表示手段と、
充電端子と、
上記充電器と通信を行う手段と、を含み、
上記充電器は、
上記充電端子と接続する給電端子と、
第２の表示手段と、
上記携帯電子機器と通信を行う手段と、を含み、
上記携帯電子機器は、上記充電器に接続している際に、当該携帯電子機器の状態に関する情報を上記充電器に送信するとともに、上記第１の表示手段から上記状態表示領域を上記画像表示領域として割り当てる表示領域変更処理を行って、上記画像表示領域を広く用いて画像を大きく表示させる
ことを特徴とする電子機器充電システム。
【請求項２】
上記充電器は、前記携帯電子機器から受信した情報に基づいて前記第２の表示手段に接続中の携帯電子機器の状態を表示させる
ことを特徴とする請求項１に記載の電子機器充電システム。
【請求項３】
上記携帯電子機器は、当該携帯電子機器の状態が変わることに基づく携帯電子機器の状態の表示の変更の必要が生じると、上記充電器に情報を送信する
ことを特徴とする請求項１または請求項２に記載の電子機器充電システム。
【請求項４】
上記携帯電子機器は通信手段を有し、当該通信手段を介して通信相手から送信された画像を上記第１の表示手段の画像表示領域に表示させながら通信を行う際に、上記表示領域変更処理を行う
ことを特徴とする請求項１に記載の電子機器充電システム。
【請求項５】
上記携帯電子機器の状態に関する情報には、少なくとも受信電波感度に関する情報が含まれ、上記表示領域変更処理の実施中には当該受信電波感度に関する情報を上記充電器に与える
ことを特徴とする請求項４に記載の電子機器充電システム。
【請求項６】
上記携帯電子機器は、当該携帯電子機器の状態に関する情報の上記充電器への送信が完了して以降に上記表示領域変更処理を行う
ことを特徴とする請求項１に記載の電子機器充電システム。
【請求項７】
上記携帯電子機器は、上記第１の表示手段の近傍に複数の機能を有するキーが配置され、上記第１の表示手段に当該キーに対応付けられた機能を表示するキー機能表示の領域を有し、
上記充電器は、複数の機能を有するキーの対応付けられている機能の表示を行える第３表示手段あるいは上記第２の表示手段に複数の機能を有するキーのキー機能表示の領域を有し、
上記表示領域変更処理を行った際には、上記充電器側に、キー機能の表示を行う
ことを特徴とする請求項１乃至６のいずれか一に記載の電子機器充電システム。
【請求項８】
上記充電器は、複数の機能を有するキーとして用いられるキーをさらに有する
ことを特徴とする請求項７に記載の電子機器充電システム。
【発明の詳細な説明】
【技術分野】
【０００１】
本発明は、例えば、携帯電子機器と、その携帯電子機器に充電を行いかつ携帯電子機器と通信を行う充電器とを含む電子機器充電システムに関する。
【背景技術】
【０００２】
従来、充電器に表示部を設け、充電対象の携帯電子機器と通信を行ってバッテリー情報を取り出し、携帯電子機器の内蔵の２次電池の電力残量を表示するシステムが知られている。
例えば、特許文献１に開示されている携帯電子機器用の充電器の着信表示装置は、携帯電子機器の充電時に着信種別を表示するために充電器に設けられたＬＥＤ（Light Emitting Diode）表示部と、携帯電子機器が充電器に装着されているか否かを判定する判定部と、その判定部の判定出力を取り込み、携帯電子機器が充電器に装着されている場合において、携帯電子機器に着信があった場合には、その着信種別を充電器のＬＥＤ表示部に表示させるように制御する制御部とから構成される。
上記装置は、携帯電子機器を操作することなく、充電中の携帯電子機器への着信をユーザに明示的に通知することを目的としている。
【０００３】
【特許文献１】特開２００３−８６９０号公報
【発明の開示】
【発明が解決しようとする課題】
【０００４】
ところで、近年の携帯電子機器の表示部には、例えば通常時に待ち受け画面を表示する領域や、受信電波の電界強度を表示する領域等がある。
例えば、携帯電子機器において、ＴＶ電話機能やフォトスタンド機能などの画像処理等を行う場合に、表示部の全表示領域に通話相手の画像等を表示させたいという要望がある。
また、上述した画像処理を実行する場合には、内蔵するバッテリの消費量が大きいので、充電器により充電しながら行いたいという要望がある。
【０００５】
本発明は、かかる事情に鑑みてなされたものであり、その目的は、充電器と携帯電子機器が接続されている状態で、携帯電子機器の表示部の限られた表示領域を有効に利用することができる電子機器充電システムを提供することにある。
【課題を解決するための手段】
【０００６】
上記目的を達成するために、本発明の観点の電子機器充電システムは、充電器と、当該充電器に接続可能な携帯電子機器とを有する電子機器充電システムであって、上記携帯電子機器は、当該携帯電子機器の状態を示す状態表示領域と所望の画像を表示させる画像表示領域とを有する第１の表示手段と、充電端子と、上記充電器と通信を行う手段と、を含み、上記充電器は、上記充電端子と接続する給電端子と、第２の表示手段と、上記携帯電子機器と通信を行う手段と、を含み、上記携帯電子機器は、上記充電器に接続している際に、当該携帯電子機器の状態に関する情報を上記充電器に送信するとともに、上記第１の表示手段から上記状態表示領域を上記画像表示領域として割り当てる表示領域変更処理を行って、上記画像表示領域を広く用いて画像を表示させることを特徴とする。
【０００７】
好適には、上記充電器は、前記携帯電子機器から受信した情報に基づいて、第２の表示手段に接続中の携帯電子機器の状態を表示させる。
【０００８】
また、好適には、上記携帯電子機器は、当該携帯電子機器の状態が変わることに基づく携帯電子機器の状態の表示の変更の必要が生じると、上記充電器に情報を送信する。
【０００９】
また、好適には、上記携帯電子機器は通信手段を有し、当該通信手段を介して通信相手から送信された画像を上記第１の表示手段の画像表示領域に表示させながら通信を行う際に、上記表示領域変更処理を行う。
【００１０】
また、好適には、上記携帯電子機器の状態に関する情報には、少なくとも受信電波感度に関する情報が含まれ、上記表示領域変更処理の実施中には当該受信電波感度に関する情報を上記充電器に与える。
【００１１】
また、好適には、上記携帯電子機器は、当該携帯電子機器の状態に関する情報の上記充電器への送信が完了して以降に上記表示領域変更処理を行う。
【００１２】
また、好適には、上記携帯電子機器は、上記第１の表示手段の近傍に複数の機能を有するキーが配置され、上記第１の表示手段に当該キーに対応付けられた機能を表示するキー機能表示の領域を有し、上記充電器は、複数の機能を有するキーの対応付けられている機能の表示を行える第３表示手段あるいは上記第２の表示手段に複数の機能を有するキーのキー機能表示の領域を有し、上記表示領域変更処理を行った際には、上記充電器側に、キー機能の表示を行う。
【００１３】
また、好適には、上記充電器は、複数の機能を有するキーとして用いられるキーをさらに有する。
【発明の効果】
【００１４】
本発明の電子機器充電システムは、充電器と携帯電子機器が接続されている状態で、携帯電子機器の表示部の限られた表示領域を有効に利用することができる。
【発明を実施するための最良の形態】
【００１５】
本発明の電子機器充電システムの一実施形態は、例えば、ＴＶ電話や動画／静止画像再生等の機能を有し、内蔵する表示部に携帯電子機器の状態を示す状態表示領域と所望の画像を表示させる画像表示領域とを有する携帯電子機器が、充電器に充電可能および通信可能な状態に接続されると、携帯電子機器の状態に関する情報を充電器に送信し、表示部から状態表示領域を上記画像表示領域として割り当てる表示領域変更処理を行って、上記画像表示領域の有効面積を大きくとって画像を表示させる。以下、図面を参照しながら、詳細に説明する。
【００１６】
図１は、本発明の一実施形態に係る電子機器充電システムの全体構成図である。図２（Ａ），（Ｂ）は図１に示した電子機器充電システムを説明するための図である。図２（Ａ）は図１に示した携帯電子機器の外観を示す斜視図。図２（Ｂ）は、図２（Ａ）に示した携帯電子機器と充電器を接続した状態を示す斜視図である。
【００１７】
実施形態に係る電子機器充電システム１は、例えば図２に示すように、携帯電子機器２、および充電器３を有する。
携帯電子機器２は本発明に係る携帯電子機器の一例であり、充電器３は本発明に係る充電器の一例である。
携帯電子機器２は、例えば携帯電話や、ＰＤＡ（Personal Digital Assistant）等の電子機器である。充電器３は、携帯電子機器２と接続して、携帯電子機器２が内蔵する２次電源（バッテリ）を充電する。
【００１８】
携帯電子機器２は、例えば図１に示すように、インタフェース（Ｉ／Ｆ）２０１、充電端子２０２、電源回路２０３、２次電源２０４、チューナ２０５、通信部２０６、撮像部２０７、アナログ／デジタル変換部（Ａ／Ｄ）２０８、バッファ２０９、音声処理部２１０、表示部２１１、入力部２１２、メモリ２１３、および制御部（ＣＰＵ：Central Processing Unit）２１４を有する。
【００１９】
表示部２１１は本発明に係る第１の表示手段の一例であり、Ｉ／Ｆ２０１は本発明に係る充電器３と通信を行う手段の一例であり、充電端子２０２は本発明に係る充電端子の一例であり、チューナ２０５，通信部２０６，およびＩ／Ｆ２０１は本発明に係る通信手段の一例であり、入力部２１２には本発明に係るソフトキーとして用いられるキーが含まれる。
【００２０】
インタフェース（Ｉ／Ｆ）２０１は、制御部２１４の制御により、充電器３と接続した状態で充電器３と通信を行うためのインタフェースである。
充電端子２０２は、充電器３の給電端子３０２と接続した状態で、電源回路２０３を介して２次電源２０４を充電する際に用いられる端子である。
電源回路２０３は、例えば制御部２１４の制御により、充電端子２０２を介して充電器３から供給された電力を基に、２次電源２０４を充電する。また、電源回路２０３は、２次電源２０４からの電力を携帯電子機器２の各構成要素に供給する。
【００２１】
２次電源２０４は、例えばニッケルカドミウム電池やリチウムイオン電池等の蓄電池であり、充電端子２０２を介して充電器３から供給される電力を蓄電する。
チューナ２０５は、例えば制御部２１４の制御により、アンテナＡＮＴを介して受信したＴＶ（テレビジョン放送）電波信号に復調処理を施して画像信号や音声信号を生成し制御部２１４に出力する。
【００２２】
通信部２０６は、制御部２１４の制御により、例えば不図示の基地局を介して他の通信機器等と通信を行う。
詳細には、通信部２０６はアンテナＡＮＴを介して受信した音声信号や画像信号に復調処理を施して制御部２１４に出力する。また、通信部２０６は制御部２１４から入力された音声信号や画像信号に変調処理を施してアンテナＡＮＴを介して出力する。
また、通信部２０６のアンテナＡＮＴとチューナ２０５のアンテナＡＮＴは共通に形成してもよい。
【００２３】
撮像部２０７は、制御部２１４の制御により、例えば被写体を撮像して得られた画像信号をＡ／Ｄ２０８に出力する。例えば撮像部２０７は、ＣＣＤ（Charge Coupled Device）やＣＭＯＳ（Complementary Metal Oxide Semiconductor）等の撮像素子である。
Ａ／Ｄ２０８は、撮像部２０７から入力されたアナログ信号をデジタル信号に変換してバッファ２０９に出力する。
バッファ２０９は、Ａ／Ｄ２０８を介して入力された画像信号をバッファし、所定のタイミングで制御部２１４に出力する。
【００２４】
音声処理部２１０は、制御部２１４の制御により、例えばマイク２１０ｍから入力された音声信号を増幅処理、アナログ／デジタル変換処理等を行い制御部２１４に出力する。
また、音声処理部２１０は、例えば制御部２１４から入力された音声信号を基にスピーカ２１０ｓを介して発音させる。
【００２５】
表示部２１１は、制御部２１４の制御により画像表示を行う。例えば表示部２１１は、ＬＣＤ（Liquid Crystal Display）や有機ＥＬ（Electroluminescence）型の表示装置である。
【００２６】
例えば図２（Ａ）に示すように、表示部２１１は、携帯電子機器２の筐体部の中央部に形成されている。
例えば携帯電子機器２は、筐体部２１と、表示部２１１が備えられた筐体部２２とを有し、筐体部２１と筐体部２２とが回転して開閉自在に形成されている。
【００２７】
図３（Ａ），（Ｂ）は、図２に示した携帯電子機器２の表示部２１１を説明するための図である。図３（Ａ）は非充電中の携帯電子機器の表示画面、図３（Ｂ）は充電中の携帯電子機器２の表示画面を示す図である。
【００２８】
通常時、携帯電子機器２の表示部２１１は、例えば図３（Ａ）に示すように、ピクト領域２１１ｐ、メイン領域２１１ｍ、ガイド領域２１１ｇを有する。
【００２９】
ピクト領域２１１ｐは、例えば携帯電子機器２の状態（ステータス情報）を示す状態表示領域である。ピクト領域２１１ｐは、例えば図３（Ａ）に示すように、電池ピクトｐ１、通話ピクトｐ２、ＴＶ電話ピクトｐ３、および電界ピクトｐ４を有する。
【００３０】
電池ピクトｐ１は、例えば２次電源２０４が蓄電する電気量を示す画像であり、電気量に応じて画像が変化する。
通話ピクトｐ２は、通話状態または非通話状態を示す画像である。
ＴＶ電話ピクトｐ３は、ＴＶ電話機能での通話状態、または非通話状態を示す画像である。
電界ピクトｐ４は、例えば通信部２０６による、受信電波の電界強度ＲＳＳＩ（Received Signal Strength Indicator）値や干渉波に対する受信信号強度を示すＣ／Ｉ（Carrier to Interference ratio）値を示す画像であり、受信電波感度に応じて画像が変化する。
また、ピクト領域２１１ｐには、その他ＣＩ（Congestion Indicator）値等の携帯電子機器２の状態を示す情報を表示してよい。
【００３１】
メイン領域２１１ｍには、例えば制御部２１４の制御により、所望の画像を表示させる画像表示領域である。
具体的には、例えばメイン領域２１１ｍには、ＴＶ電話中の相手の画像が表示される。また、メイン領域２１１ｍには、通常時には待ち受け画像や所定の画像が表示される。
【００３２】
ガイド領域２１１ｇには、入力部２１２のソフトキー（２１０１〜２１０３）に割り当てた機能を示す情報が表示されるキー機能表示の領域である。なお、ソフトキーとは、携帯電子機器の状態に応じて割り当てられる機能が変更されるキーのことであり、割り当てられた機能がユーザにわかるようにキー近傍に機能を示す情報が行われるように構成されるものである。
制御部２１４は、例えば現時点でユーザが選択可能な機能を、入力部２１２のソフトキー（２１２１〜２１２３）それぞれに割り当て、ガイド領域２１１ｇ内のソフトキー（２１２１〜２１２３）それぞれに対応する位置に、ソフトキー（２１２１〜２１２３）それぞれに割り当てた（対応する）機能を示す情報を表示させる。
【００３３】
例えば本実施形態では、入力部２１２のソフトキーそれぞれに、画面の明るさ調節や、ホワイトバランスの調整や、アドレス帳登録等の機能が割り当てた場合には、ガイド領域２１１ｇ内のソフトキーそれぞれに対応する位置に、割り当てた機能を示す画像を表示する。
【００３４】
表示部２１１による全体表示領域２１１ａ、メイン領域２１１ｍの表示領域２１１ｍｓ、ピクト領域２１１ｐの表示領域２１１ｐｓ、およびガイド領域２１１ｇの表示領域２１１ｇｓは、以下に示す関係がある。
【００３５】
（メイン領域２１１ｍの表示領域２１１ｍｓ）＝（携帯電子機器２の表示部２１１による全表示領域２１１ａ）−（ピクト領域２１１ｐの表示領域２１１ｐｓ＋ガイド領域２１１ｇの表示領域２１１ｇｓ）
【００３６】
制御部２１４は、例えば充電器３と接続している場合や、実行する所定機能を有するアプリケーションに応じて、携帯電子機器２の状態を表示させないと判別した場合には、表示部２１１からピクト領域２１１ｐやガイド領域２１１ｇをメイン領域２１１ｍとして割り当てる表示領域変更処理を行って、図３（Ｂ）に示すようにメイン領域２１１ｍを広く用いて所望の画像を表示させる。すなわち、図３（Ａ）ではピクト領域ｐ２１１ｐとガイド領域２１１ｇにより隠れていた（例えば頭についている旗）部分を見ることができるようになる。また、制御部２１４は、この際、充電器３の表示部３０６に、図３（Ｃ）に示すように携帯電子機器２の状態に関する情報やガイド情報を表示させる。
【００３７】
この場合、図３（Ａ）ではメイン領域２１１ｍに表示される画像の上部や下部が表示されていないのに比べて、ピクト領域２１１ｐをメイン領域２１１ｍとして割り当てた場合には、図３（Ｂ）に示すように、画像の上部や下部の表示される。
【００３８】
この状態では、表示部２１１による全体表示領域２１１ａと、メイン領域２１１ｍの表示領域２１１ｍｓとの関係は、以下に示す関係がある。
【００３９】
（メイン領域２１１ｍの表示領域２１１ｍｓ）＝（携帯電子機器２の表示部２１１による全表示領域２１１ａ）
【００４０】
入力部２１２は、例えば図２（Ａ）に示すように、表示部２１１の近傍にソフトキー（２１２１〜２１２３）として用いられるキーが配置されている。例えば、入力部２１２は、ユーザの操作に応じた信号を制御部２１４に出力する。
このソフトキー（２１２１〜２１２３）は、携帯電子機器２の状態に応じて、所定の機能が割り当てられるキーである。
制御部２１４は、携帯電子機器の状態に応じて、ソフトキー（２１２１〜２１２３）それぞれに割り当てられた機能を示す画面を、表示部２１１のガイド領域２１１ｇに表示させる。
制御部２１４は、例えば通話状態には、その通話状態に関連する機能を有するアプリケーションを実行させる機能、例えば「音声メモ」、「保留」、「アドレス帳呼び出し」等の機能を、ソフトキー（２１２１〜２１２３）それぞれに割り当て、ソフトキー（２１２１〜２１２３）が操作されると、その操作されたソフトキーに割り当てた機能を実現する。
また、入力部２１２は、不図示の数字入力や文字入力のためのキーや移動キー等を有する。
【００４１】
メモリ２１３は、制御部２１４の制御により、例えば画像データ、音声データ、文字データ等のデータＤや、プログラムＰＲＧを記憶する。メモリ２１３は、例えばＲＡＭ（Random Access Memory）や、ＲＯＭ（Read only memory）等により構成される。
プログラムＰＲＧは、本発明に係る機能を含み、制御部２１４により実行されることで本発明に係る機能を実現する。
【００４２】
制御部（ＣＰＵ）２１４は、携帯電子機器２の各構成要素を統括して制御する。例えば制御部２１４は、プログラムＰＲＧを実行することにより本発明に係る機能を実現する。
【００４３】
制御部２１４は、例えば図２（Ｂ）に示すように携帯電子機器２が充電器３に装着されている際に、詳細には、携帯電子機器２と充電器３とが充電可能にかつ通信可能に接続されている場合に、携帯電子機器２の状態に関する情報を充電器３に送信するとともに、例えば図３（Ａ）に示す表示部２１１からピクト領域２１１ｐをメイン領域２１１ｍとして割り当てる表示領域変更処理を行って、例えば図３（Ｂ）メイン領域２１１ｍを広く用いて画像を表示させる。
また、制御部２１４は、携帯電子機器２の状態が変わることに基づく携帯電子機器２の状態の表示の変更の必要が生じると、充電器３にその情報をＩ／Ｆ２０１を介して送信する。
【００４４】
また、制御部２１４は、通信手段、例えば通信部２０６を介して通信相手から送信された画像を表示部２１１のメイン領域２１１ｍに表示させながら通信を行う際に、上述した表示領域変更処理を行う。
【００４５】
また、制御部２１４は、携帯電子機器２の状態に関する情報には、少なくとも受信電波感度に関する情報が含まれ、上記表示領域変更処理の実施中には当該受信電波感度に関する情報を、Ｉ／Ｆ２０１を介して上記充電器３に与える。
また、制御部２１４は、携帯電子機器２の状態に関する情報の上記充電器３への送信が完了して以降に、上述した表示領域変更処理を行う。
【００４６】
また、制御部２１４は、上述した表示領域変更処理を行った際には、上記充電器３側の表示部３０６にソフトキー表示を行わせる。
【００４７】
充電器３は、携帯電子機器２と接続した状態で、内蔵する２次電源２０４の充電を行い、かつ携帯電子機器２と通信を行う。
充電器３は、例えば図２（Ｂ）に示すように、インタフェース（Ｉ／Ｆ）３０１、給電端子３０２、充電回路３０３、電源回路３０４、メモリ３０５、表示部３０６、キー入力部３０７、および制御部（ＣＰＵ）３０８を有する。
【００４８】
Ｉ／Ｆ３０１は本発明に係る携帯電子機器と通信を行う手段の一例であり、給電端子３０２は本発明に係る給電端子３０２の一例であり、表示部３０６は本発明に係る第２，第３の表示手段の一例である。キー入力部３０７は本発明に係るソフトキーとして用いられるキーに相当する。
【００４９】
インタフェース（Ｉ／Ｆ）３０１は、制御部３０８の制御により、携帯電子機器２のＩ／Ｆ２０１と接続した状態で充電器３と通信を行うためのインタフェースである。
給電端子３０２は、携帯電子機器２の２次電源２０４を充電する際に用いられる端子である。給電端子３０２は、例えば制御部３０８の制御により、携帯電子機器２の充電端子２０２と接続した状態で、充電回路３０３からの電力を携帯電子機器２に供給する。
【００５０】
充電回路３０３は、制御部３０８の制御により電源回路３０４から入力された電力を給電端子３０２を介して、携帯電子機器２に出力する。
電源回路３０４は、例えば交流電源や直流電源等から供給される電力を直流に変換して、充電器３の各構成要素に供給する。
【００５１】
メモリ３０５は、制御部３０８の制御により、例えば携帯電子機器２の状態を示すピクト情報（ステータス情報）や、キー入力部３０７のソフトキー（３０７１〜３０７３）に割り当てられた機能を示す情報を示すデータＤや、プログラムＰＲＧを記憶する。
メモリ３０５は、例えばＲＡＭやＲＯＭ等により構成される。
プログラムＰＲＧは、本発明に係る機能を含み、制御部３０８により実行されることで本発明に係る機能を実現する。
【００５２】
表示部３０６は、制御部３０８の制御により、例えば携帯電子機器２から受信した情報に基づいて、接続中の携帯電子機器２の状態に関する情報（状態）や、キー入力部３０７のソフトキー（３０７１〜３０７３）それぞれに割り当てられた機能を示す情報を表示する。
【００５３】
表示部３０６は、例えば図２（Ｂ），図３（Ｃ）に示すように、ピクト表示部３０６１、およびガイド表示部３０６２を有する。
【００５４】
ピクト表示部３０６１は、例えば図２（Ｂ）に示すように、充電器３の筐体部３１の正面上部に形成され、制御部３０８の制御により、携帯電子機器２の状態に関する情報（ピクト情報）を表示する表示領域を有する。ピクト表示部３０６１には、例えば図３（Ｃ）に示すように、携帯電子機器２のピクト領域２１１ｐと同様に、電池ピクトｐ１、通話ピクトｐ２、ＴＶ電話ピクトｐ３、および電界ピクトｐ４が表示される。
【００５５】
ガイド表示部３０６２は、例えば図２（Ｂ）に示すように、充電器３の筐体部３１の正面中央部に形成され、制御部３０８の制御により、キー入力部３０７のソフトキー（３０７１〜３０７３）それぞれに割り当てられた（対応付けられた）機能を示す情報を表示するソフトキー機能表示の領域を有する。
【００５６】
キー入力部３０７は、複数の機能を有するキーとして用いられるキーを含む。例えばキー入力部３０７は、携帯電子機器２の入力部２１２のソフトキー（２１２１〜２１２３）それぞれと同様な機能が割り当てられる，ソフトキー３０７１〜３０７３を有する。
キー入力部３０７は、例えば図２（Ｂ）に示すように、携帯電子機器２の入力部２１２のソフトキー（２１２１〜２１２３）それぞれと同様な機能が割り当てられる，ソフトキー３０７１〜３０７３を有する。
【００５７】
制御部３０８は、充電器３の各構成要素を統括して制御する。例えば制御部３０８は、プログラムＰＲＧを実行することにより本発明に係る機能を実現する。
制御部３０８は、例えばＩ／Ｆ３０１を介して受信した、携帯電子機器２の状態に関する情報（ピクト情報）を、表示部３０６のピクト表示部３０６１に表示させる。
また、制御部３０８は、例えばＩ／Ｆ３０１を介して受信した、ソフトキー３０７１〜３０７３に割り当てる機能を示す情報に基づいて、表示部３０６のガイド表示部３０６２のうちのソフトキー３０７１〜３０７３それぞれに対応する位置に、ソフトキー３０７１〜３０７３それぞれに割り当てられた（対応する）情報を示す画像を表示させる。
【００５８】
図４は、図２に示した携帯電子機器の動作の一具体例を示すフローチャートである。
図４を参照しながら、例えば充電器３に携帯電子機器２を装着した状態、詳細には充電器３と携帯電子機器２が充電可能かつ通信可能に接続した状態において、通信部２０６を介してＴＶ電話を着信したことをトリガとして、携帯電子機器２の表示部２１１に表示していたピクト情報およびガイド情報を充電器３の表示部３０６に表示させ、携帯電子機器２の表示部２１１に充電中およびＴＶ電話を示す画面を表示させる動作を説明する。
また、充電器３と携帯電子機器２を接続した状態でＴＶ電話を終了したことをトリガとして、再度携帯電子機器２と充電器３の表示部の表示画面を、通常画面に戻す動作を説明する。
【００５９】
ステップＳＴ１において、非通話状態にある携帯電子機器２を充電器３に装着する。詳細には携帯電子機器２と充電器３を、充電可能および通信可能に接続する。
ステップＳＴ２において、携帯電子機器２の制御部２１４は、表示部２１１に、通常画面状態で、ピクト領域２１１ｐに電池ピクトｐ１を点滅表示させて、充電中である旨を報知する。
【００６０】
ステップＳＴ３において、携帯電子機器２の制御部２１４は、通信部２０６を介してＴＶ電話等の電話の着信があった場合には、ＴＶ電話機能を有するアプリケーションを実行してＴＶ電話通話を行い、通話が終了すると、ＴＶ電話機能を有するアプリケーションの実行を停止して、待ち受け状態になる。
【００６１】
一方、ステップＳＴ１において、携帯電子機器２の制御部２１４は、充電中でない場合、つまり充電器３と携帯電子機器２が接続されていない場合には、通常時の処理を行う。
【００６２】
図５は、図４に示した充電時のテレビ電話機能を説明するためのフローチャートである。
ステップＳＴ３１において、携帯電子機器２と充電器３が接続状態で、ＴＶ電話機能を実行中には、携帯電子機器２の制御部２１４は、表示部２０６のガイド領域２１１ｇおよびメイン領域２１１ｍに、例えば図３に示すような充電中でありＴＶ電話機能を示す表示、詳細には通話相手の画像を表示させる。
また、携帯電子機器２の制御部２１４は、第１のソフトキーには明るさ調節機能を割り当て、第２のソフトキーにはホワイトバランス調節機能を割り当て、第３のソフトキーにはアドレス帳登録機能を割り当て、その割り当てた情報を示す設定情報を、Ｉ／Ｆ２０１を介して充電器３に送信する。
【００６３】
充電器３の制御部３０８は、Ｉ／Ｆ３０１を介して、携帯電子機器２から受信したソフトキーの設定情報を基に、キー入力部３０７のソフトキー３０７１〜３０７３それぞれに機能を割り当てる。
本実施形態では制御部３０８は、キー入力部３０７において、ソフトキー３０７１には明るさ調節機能を割り当て、ソフトキー３０７２にはホワイトバランス調節機能を割り当て、ソフトキー３０７３にはアドレス帳登録機能を割り当てる。
また、充電器３の制御部３０８は、ソフトキー３０７１〜３０７３それぞれに機能を割り当てた旨を示す信号を、Ｉ／Ｆ３０１を介して、携帯電子機器２に送信する。携帯電子機器２の制御部２１４は、Ｉ／Ｆ２１０を介して受信した信号により充電器３にキー割り当てが行われたことを確認する。
【００６４】
また、ステップＳＴ３１において、充電器３の制御部３０８は、キー入力部３０７の第１のソフトキーが操作されたと判別した場合には、携帯電子機器２の表示部２１１に表示させる画面の明るさ調節処理を行う（ＳＴ３１０１）。
詳細には、充電器３の制御部３０８は、キー入力部３０７に対応する信号をＩ／Ｆ３０１を介して携帯電子機器２に送信する。
携帯電子機器２の制御部２１４は、Ｉ／Ｆ２０１を介して受信した、その信号に応じて表示部２１１に表示させる画面の明るさ調節処理を行う。
明るさ調節処理が終了すると、ステップＳＴ３１の処理に戻る。
【００６５】
また、ステップＳＴ３１において、充電器３の制御部３０８は、キー入力部３０７の第２のソフトキーが操作されたと判別した場合には、携帯電子機器２の表示部２１１に表示させる画面のホワイトバランスの調整処理を行う（ＳＴ３１０２）。
詳細には、充電器３の制御部３０８は、キー入力部３０７に対応する信号をＩ／Ｆ３０１を介して携帯電子機器２に送信する。
携帯電子機器２の制御部３０８は、Ｉ／Ｆ２０１を介して受信した、その信号に応じて表示部２１１に表示させる画面のホワイトバランスの調整処理を行う。
ホワイトバランス処理が終了すると、ステップＳＴ３１の処理に戻る。
【００６６】
また、充電器３の制御部３０８は、キー入力部３０７の第３のソフトキーが操作されたと判別した場合には、携帯電子機器２のメモリ２１３が記憶するアドレス帳に関する処理、例えば通話中の通話相手の電話番号等をアドレス帳としてメモリ２１３に登録させる処理を行う（ＳＴ３１０３）。
詳細には、充電器３の制御部３０８は、キー入力部３０７に対応する信号をＩ／Ｆ３０１を介して携帯電子機器２に送信する。
携帯電子機器２の制御部３０８は、Ｉ／Ｆ２０１を介して受信した、その信号に応じてメモリ２１３が記憶するアドレス帳に関する処理、例えば通話中の通話相手の電話番号等をアドレス帳としてメモリ２１３に登録させる処理を行う。
アドレス帳に関する処理が終了するとステップＳＴ３１の処理に戻る。
【００６７】
また、ステップＳＴ３１において、通話が終了すると、携帯電子機器２および充電器３は、通常の処理、例えば待ち受け処理や充電処理を行う。
【００６８】
詳細には、例えば通話が終了すると、携帯電子機器２の制御部２１４は、ＴＶ電話機能を有するアプリケーションの起動時に中断したアプリケーションがあれば、その中断したアプリケーションを実行して復帰させ、中断したアプリケーションがなければ通常の処理、例えば待ち受け処理や充電処理を行う。
また、携帯電子機器２の制御部２１４は、通話が終了した旨を示す信号をＩ／Ｆ２０１を介して、充電器３に出力する。
【００６９】
充電器３の制御部３８は、Ｉ／Ｆ３０１を介して、通話が終了した旨を示す信号を受信した場合には、携帯電子機器２の入力部２１２のソフトキーに、それぞれ所定のピクト情報、およびガイド情報を設定させる設定情報を示す信号をＩ／Ｆ３０１を介して携帯電子機器２に送信する。
携帯電子機器２の制御部２１４は、Ｉ／Ｆ２０１を介して受信した設定情報を基に、表示部２１１の表示領域や、入力部２１２のソフトキーそれぞれに所定機能を設定し、設定後、表示部２１１の再描画処理を行い、設定完了を示す信号をＩ／Ｆ２０１を介して、充電器３に送信する。
充電器３の制御部３０８は、Ｉ／Ｆ３０１を介して携帯電子機器２から受信したその信号により、携帯電子機器２にて設定が完了したことを確認する。
【００７０】
図６は、図３に示した充電時のＴＶ電話機能を説明するためのフローチャートである。図６を参照しながら、充電時のＴＶ電話機能を詳細に説明する。
【００７１】
ステップＳＴ３１１において、携帯電子機器２の制御部２１４は、例えばＴＶ電話機能を実行させる要求が入力された場合には、例えば他の機能のアプリケーションが動作中であれば、動作中のアプリケーションの実行を中断させる中断処理を行い、その状態をメモリ２１３に保存する。
ステップＳＴ３１２において、携帯電子機器２の制御部２１４は、上述した中断処理が完了したか否かを判別し、完了していないと判別した場合には、ステップＳＴ３１１の処理に戻る。
一方、ステップＳＴ３１２の判別において、携帯電子機器２の制御部２１４は、上述した中断処理が完了したと判別した場合には、ステップＳＴ３１３の処理に進む。
【００７２】
ステップＳＴ３１３において、携帯電子機器２の制御部２１４は、ピクト情報やガイド情報を設定する。
詳細には、携帯電子機器２の制御部２１４は、例えば、ピクト情報として、電池ピクト：３（満充電状態を示す）、通話ピクト：１（通話中状態を示す）、ＴＶ電話ピクト：１（ＴＶ電話中状態を示す）、受信電波感度に関する情報を示す電界強度ピクト：３（電波良好状態を示す）、ガイド情報として、ＴＶ＿ＬＣＤ＿ＧＵＩＤＥ＿ＫＩＮＯＵ（センターキーは「機能」かつソフト１、ソフト２共に「なし」の状態）を設定する。
【００７３】
ステップＳＴ３１４において、携帯電子機器２の制御部２１４は、上述した設定情報、例えば携帯電子機器２の状態に関する情報を含む信号を、Ｉ／Ｆ２０１を介して充電器３に送信する。
充電器３の制御部３０８は、Ｉ／Ｄ３０１を介して、携帯電子機器２から設定情報を受信すると、その設定情報に応じた画面表示を表示部３０６に表示させ、また、キー入力部３０７のソフトキーそれぞれに、設定情報に応じた機能を割り当てる。
【００７４】
ステップＳＴ３１５において、携帯電子機器２の制御部２１４は、上述した送信が完了したか否かを判別し、送信が完了したと判別した場合には、表示部２１１の表示画面のメイン領域が画面全体に表示させるように表示領域を再設定し（ＳＴ３１６）、その設定に応じて表示部２１１に再描画表示処理を行わせる（ＳＴ３１７）。
【００７５】
一方、ステップＳＴ３１５において、携帯電子機器２の制御部２１４は、携帯電子機器２と充電器３が非接続状態になった場合など、上述した送信が完了していないと判別した場合には、例えばステップＳＴ３１１で保存した状態への復帰処理を行い（ＳＴ３０８）、充電中を示す画面表示処理を終了する。この際、携帯電子機器２の画面表示は通常表示である。
【００７６】
以上説明したように、携帯電子機器２には、携帯電子機器２の状態を示すピクト領域２１１ｐと所望の画像を表示させるメイン領域２１１ｍとを有する表示部２１１と、充電端子２０２と、充電器３と通信を行うＩ／Ｆ２０１とを設け、充電器３には、充電端子２０２と接続する給電端子３０２と、表示部３０６と、携帯電子機器２と通信を行うＩ／Ｆ３０１とを設け、携帯電子機器２の制御部２１４は、充電器３に接続している際に、携帯電子機器２の状態に関する情報を充電器３に送信するとともに、表示部２１１からピクト領域２１１ｐをメイン領域２１１ｍとして割り当てる表示領域変更処理を行って、メイン領域２１１ｍの有効面積を広くとって画像を表示させるので、今までピクト領域２１１ｐで隠れていた部分が見えるようになり、充電器３と携帯電子機器２が接続されている状態で、携帯電子機器２の表示部２１１の限られた表示領域を有効に利用することができる。
【００７７】
また、ＴＶ電話、動画、静止画等、比較的２次電源２０４の電力を大量に消費する処理を行う場合に、携帯電子機器２と充電器３を充電可能かつ通信可能に接続して充電を行いながら上述の処理を行うことができる。
【００７８】
また、携帯電子機器２に通信部２０６を介して通信相手から送信された画像を、表示部２１１のメイン領域２１１ｍに表示させながら通信を行う際に、上記表示領域変更処理を行うので、より通信相手から送信された画像を表示部２１１のメイン領域２１１ｍを広く使って表示することができるので、より広範囲が表示できる。なお、もちろん拡大させてもよい。
【００７９】
その際、携帯電子機器２の制御部２１４は、表示領域変更処理の実施中には、例えば携帯電子機器２の状態に関する情報として、受信電波感度に関する情報を充電器３に与え、充電器３の制御部３０８は、表示部３０６に、携帯電子機器２の状態に関する情報を表示するので、携帯電子機器２の表示部２１１の全表示領域に、例えば通信相手から送信された画像を表示させたとしても、携帯電子機器２の状態に関する情報を通知することができる。
【００８０】
また、携帯電子機器２の制御部２１４は、携帯電子機器２の状態に関する情報の上記充電器３への送信が完了して以降に、上記表示領域変更処理を行い、充電器３により常に携帯電子機器２の状態に関する情報を表示することができる。
【００８１】
また、携帯電子機器２には、表示部２１１の近傍にソフトキーとして用いられるキーが配置され、表示部２１１にソフトキー表示領域を設け、充電器３には、表示部３０６中にソフトキー表示を行えるソフトキー表示領域を設け、キー入力部３０７にソフトキー３０７１〜３０７３を設け、上記表示領域変更処理を行った際には、上記充電器３側にソフトキー表示を行い、ソフトキー３０７１〜３０７３それぞれに機能を割り当てるので、携帯電子機器２の表示部２１１が全画面表示した場合であっても、充電器３側でソフトキーの機能を実現することができる。
【００８２】
また、充電器３において、表示部２１１のピクト領域２１１ｐよりも大きくな表示部３０６を設け、携帯電子機器２の表示部２１１のピクト領域２１１ｐに表示された情報よりも、詳細な携帯電子機器２の状態を示す情報を表示させることで、充電器３の表示部３０６に携帯電子機器２の状態をより詳細に表示することができる。
【００８３】
携帯電子機器２が受信した情報が、携帯電子機器２と充電器３それぞれの表示部に重複して表示されることがないように構成することもできる。
【００８４】
図７は、本発明に係る電子機器充電システムの動作の一具体例を説明するためのフローチャートである。
図７を参照しながら、携帯電子機器２と充電器３とが非接続状態から、充電器３に携帯電子機器２を装着した状態、詳細には、携帯電子機器２と充電器３を充電可能かつ通信可能に接続した状態になった場合に、充電器３の表示部３０６にピクト情報やガイド情報を表示させ、携帯電子機器２の表示部２１１に全画面表示を行わせる動作を説明する。
また、その接続状態から非接続状態になった場合に、携帯電子機器２および充電器３それぞれの表示部に通常の画面表示を行わせる動作も説明する。
【００８５】
ステップＳＴ４０１において、通常時（携帯電子機器２と充電器３が非接続状態）には、携帯電子機器２の制御部２１４は、表示部２０６に、ピクト領域にピクト情報を表示させ、メイン領域には例えば待ち受け画面を表示させ、ガイド領域にガイド情報を表示させる。また、通常時、充電器３の制御部３０８は、表示部３０６には通常表示（例えば非表示）を行わせる。
【００８６】
ステップＳＴ４０２において、携帯電子機器２と充電器３を充電可能かつ通信可能に接続した状態でない場合には、ステップＳＴ４０１の処理に戻り、携帯電子機器２と充電器３を充電可能かつ通信可能に接続した状態の場合には、ステップＳＴ４０３の処理に進む。
【００８７】
例えば、詳細には携帯電子機器２の制御部２１４が携帯電子機器２と充電器３が、充電（給電）端子２０２（３０２）やＩ／Ｆ２０１，３０１を介して接続していないと判断した場合には、ステップＳＴ４０１の処理に戻り、携帯電子機器２と充電器３が接続していると判断した場合には、ステップＳＴ４０３の処理に進む。
また、上述した接続の判断は、充電器３の制御部３０８が行ってもよい。
【００８８】
ステップＳＴ４０３において、例えば携帯電子機器２の制御部２１４は、充電器３に、携帯電子機器２の状態に関するピクト情報や、ガイド情報を設定させる信号を、Ｉ／Ｆ２０１を介して充電器３に出力する。
充電器３は、Ｉ／Ｆ３０１を介して携帯電子機器２から受信した、その信号を基に、表示部３０６にピクト情報やガイド情報を表示させ、キー入力部３０７のソフトキーそれぞれにガイド情報に応じた機能を割り当て、それら設定の終了を示す信号をＩ／Ｆ３０１を介して携帯電子機器２に出力する。
携帯電子機器２の制御部２１４は、Ｉ／Ｆ３０１を介して充電器３からその信号を受信すると、表示部２１１に、ピクト情報やガイド情報を非表示に設定し、全画面領域をメイン領域として、充電中を示す画面を表示させる。
【００８９】
ステップＳＴ４０４において、携帯電子機器２と充電器３とが接続状態されていない場合にはステップＳＴ４０５の処理に進み、接続されていない場合にはステップＳＴ４０３の処理に戻る。
詳細には、携帯電子機器２の制御部２１４は、携帯電子機器２と充電器３が充電（給電）端子２０２（３０２）やＩ／Ｆ２０１，３０１を介して接続していないと判断した場合にはステップＳＴ４０５の処理に進み、接続されていると判別した場合には、ステップＳＴ４０３の処理に戻る。
上述した接続の判断は、充電器３の制御部３０８が行ってもよい。
【００９０】
ステップＳＴ４０５において、携帯電子機器２，充電器３それぞれは、通常時の表示、キー割り当てに復帰する処理を行い、ステップＳＴ４０１の処理に戻る。
【００９１】
詳細には、携帯電子機器２の制御部２１４は、接続していないと判断した場合には、表示部２１１に通常画面、例えばピクト領域にピクト情報を表示させ、メイン領域に待ち受け画面を表示させ、ガイド領域にガイド情報を表示させる。また、制御部２１４は、入力部２１２のソフトキーそれぞれにガイド情報に応じた機能を割り当てる。
【００９２】
充電器３の制御部３０８は、接続していないと判断した場合には、表示部３０６に通常画面（例えば非表示）を表示させ、キー入力部３０７のソフトキーそれぞれに、通常時の機能を割り当てる（例えば通常時は所定機能を割り当てない）。
【００９３】
以上、説明したように、本具体例では、携帯電子機器２と充電器３とが非接続状態から、充電器３と携帯電子機器２を接続した状態になった場合に、充電器３の表示部３０６にピクト情報やガイド情報を表示させ、携帯電子機器２の表示部２１１に全画面表示を行わせ、その接続状態から非接続状態になった場合に、携帯電子機器２および充電器３それぞれの表示部に通常の画面表示を行わせるので、例えば通常時に表示部２１１に表示される受け画面等の所望の画像を全画面表示することができ、かつ充電器３の表示部３０６にピクト情報やガイド情報を表示させることができる。
【００９４】
図８は、本発明に係る電子機器充電システムの動作の一具体例を説明するためのフローチャートである。
図８を参照しながら、ＴＶ電話起動中に、携帯電子機器２と充電器３とが非接続状態で、充電器３に携帯電子機器２を装着した場合、詳細には、携帯電子機器２と充電器３を充電可能かつ通信可能に接続した状態になった場合に、充電器３の表示部３０６にピクト情報やガイド情報を表示させ、携帯電子機器２の表示部２１１に充電中やＴＶ電話を示す画面を表示させる動作を説明する。
また、その状態から携帯電子機器２と充電器３が非接続状態になった場合に、それぞれの表示部に通常の画面表示を行わせる動作も説明する。
【００９５】
ＴＶ電話起動中（ＴＶ電話通話中）に、携帯電子機器２と充電器３とが非接続状態の場合を初期状態とする。
まず、携帯電子機器２と充電器３を充電可能かつ通信可能に接続した状態であるか否かを判別し（ＳＴ５０１）、接続状態であると判別した場合には、上述したように充電器３の表示部３０６にピクト情報やガイド情報を表示させ、携帯電子機器２の表示部２１１に充電中やＴＶ電話を示す画面を表示させる（ＳＴ５０２）。
なお、ステップＳＴ５０２の間、制御部２１４は、充電器３に送信したピクト情報やガイド情報がどのようなものであったかをメモリ２１３にて保持しており、電波の状態の変化や電池残量の変化やユーザ操作によりピクト情報やガイド情報を送信したものから書き換える必要があるかを常に監視しており、例えば電池マークを３目盛りから２目盛りに表示変更するなど、変更の必要があれば再び充電器３に送信する。
ＴＶ電話が終話した場合には、上述した復帰処理を行い、通常の表示画面およびソフトキーに戻す。
【００９６】
一方、ステップＳＴ５０１において、ＴＶ携帯電子機器２と充電器３とが非接続状態と判別した場合には、一連の処理を終了する。
【００９７】
上述した具体例では、ＴＶ電話起動中に、充電器３と携帯電子機器２が接続した場合や、非接続状態になった場合にも、表示領域変換処理を行うので、ＴＶ電話中に表示部２１１の表示領域を変更することができる。
【００９８】
図９は、本発明に係る電子機器充電システムの動作の一具体例を説明するためのフローチャートである。図９を参照しながら、ＴＶ電話起動中にかつ充電中に特定のキーが操作されたことをトリガとして、ピクト情報やガイド情報が充電器３の表示部３０６に表示され、携帯電子機器２の表示部２１１には、充電中かつＴＶ電話画面を表示させる動作を説明する。
【００９９】
ステップＳＴ６０１において、携帯電子機器２の制御部２１４は、通信部２０６を介してＴＶ電話中であるか否か判別し、ＴＶ電話中である場合には、ステップＳＴ６０２の処理に進む。
ステップＳＴ６０２において、携帯電子機器２の制御部２１４は、充電中であるか否かを判別し、詳細は携帯電子機器２と充電器３が充電可能か通信可能に接続しているかを判別し、充電中である場合には、ステップＳＴ６０３の処理に進む。
【０１００】
ステップＳＴ６０３において、例えば充電器３の制御部３０８は、キー入力部３０７の特定のキー、例えば全画面表示を行わせる機能を割り当てたソフトキーが操作（押下）されたか否かを判別し、操作されたと判別した場合には、ステップＳＴ６０４の処理に進む。
【０１０１】
一方、ステップＳＴ６０３において、特定のキーが操作されていないと判別した場合には、ステップＳＴ６０１の処理に戻る。
また、ステップＳＴ６０１においてＴＶ電話中でない場合、およびステップＳＴ６０２において充電中でない場合には、一連の処理を終了する。
【０１０２】
ステップＳＴ６０４において、携帯電子機器２の制御部２１４は、上述したようにピクト情報やガイド情報を、Ｉ／Ｆ２０１を介して充電器３に出力し、充電器３の制御部３０８は、Ｉ／Ｆ３０１を介して受信したその情報を表示部３０６に表示させる。携帯電子機器２の制御部２１４は、表示部２１１に充電中かつＴＶ電話画面を表示させる。
この状態で、充電器３のキー入力部３０７の特定のキー、例えば全画面表示を解除させる機能が割り当てられたソフトキーが操作された場合には、充電器３の制御部３０８、および携帯電子機器２の制御部２１４は、上述した復帰処理を行い通常の画面表示を行う。
【０１０３】
上述したように本具体例では、ＴＶ電話起動中にかつ充電中に特定のキーが操作されたことをトリガとして、ピクト情報やガイド情報が充電器３の表示部３０６に表示され、携帯電子機器２の表示部２１１には、充電中かつＴＶ電話画面を表示させ、解除させるキーが操作された場合には、通常の画面表示に復帰する処理を行うので、ユーザには自然なタイミングで、表示領域変更処理を行わせることができる。
【０１０４】
なお、本発明は本実施形態に限られるものではなく、任意好適な改変が可能である。
例えば、上述した具体例では携帯電子機器２を充電中にＴＶ電話の着信を受けた場合に、ピクト領域２１１ｐとガイド領域２１１ｇの表示内容を、充電器３の表示部３０６に処理を説明したが、この形態に限られるものではない。
例えば、ピクト領域２１１ｐについては透過表示として常に携帯電子機器２の表示部２１１の画面上に表示させ、ガイド領域２１１ｇのみ充電器３の表示部３０６に表示させてもよい。
【０１０５】
また、逆に携帯電子機器２の表示部２１１にガイド情報を表示させて、充電器３の表示部３０６に携帯電子機器２の状態に関するピクト情報を表示させてもよい。
【０１０６】
また、上記実施形態では、携帯電子機器２と、充電器３の双方に、ユーザにより操作される入力部２１２，キー入力部３０７を設けたが、この形態に限られるものではない。
例えば充電時／非充電時に関わらず、携帯電子機器２の入力部２１２を利用して、上述した画像表示領域変更処理を行ってもよい。
【０１０７】
また、上述した実施例では、充電状態か否かを判断し、充電状態が検出された場合に、ピクト領域２１１ｐに表示されるピクト情報や、ガイド領域２１１ｇに表示されるガイド情報を、充電器３の表示部３０６に表示させる表示部３０６を設けたが、この形態に限られるものではない。
【０１０８】
また、上述した実施形態では、充電器３は、ピクト情報を表示する表示部３０６１と、ソフトキー表示を行う表示部３０６２とを設けたが、一つの表示部にピクト情報を表示するピクト表示領域と、ソフトキー表示領域とを設けてもよい。
【０１０９】
例えば、上述した実施形態では、携帯電子機器２はインタフェース（Ｉ／Ｆ）２０１と充電端子２０２を備え、充電器３はインタフェース（Ｉ／Ｆ）３０１、給電端子３０２を備えたが、この形態に限られるものではない。
例えば、インタフェース（Ｉ／Ｆ）２０１および充電端子２０２は一体形成してもよい。また、インタフェース（Ｉ／Ｆ）３０１および給電端子３０２は一体形成してもよい。
【０１１０】
また、このように一体形成するならば、携帯電子機器２に充電端子に接続するパルス信号検出回路を設け、充電器３に給電端子に接続されたパルス検出回路を設ける。そして充電中に、一時充電を中断してから携帯電子機器２は、携帯電子機器２の状態に関する状態情報を示すデータ（シリアルデータ）を生成し、パルス信号として充電端子を介して充電器３に送信する。充電器３では、給電端子を介してパルス信号としてのシリアルデータを受信し、その信号に応じた表示処理を行う。
そしてデータ送信完了後に再び充電を開始する形態で、携帯電子機器２の状態に関する情報を充電器３に送信してもよい。
【０１１１】
また、充電の有無に関わらず、携帯電子機器２の制御部２１４は、上述したピクト領域２１１ｐをメイン領域２１１ｍとして割り当てる表示領域変更処理を行い、全画面表示や、ピクト情報の非表示を行ってもよい。
例えば、携帯電子機器２の制御部２１４は、２次電源２０４の残量が所定量よりも少ないことを検出した場合に上述した表示領域変更処理を行ってもよい。
また、携帯電子機器２の制御部２１４は、電波状態が悪化した場合にも、上述した表示領域変更処理を行ってもよい。
また、携帯電子機器２の制御部２１４は、所定のキーが操作された場合にも、上述した表示領域変更処理を行ってもよい。
また、携帯電子機器２の制御部２１４は、電波状態を監視しているが変化状態を所望のタイミングで充電器３に送信してよい。
また、携帯電子機器２の制御部２１４は、ピクト情報に変更が生じたら、その変更情報を充電器３に送信してよい。
【０１１２】
また、上述した実施形態を組み合わせてもよい。
さらに、本発明の説明として、簡略化のために充電器３としてシンプルな構成のものを例として用いたがこれに限定されるものではなく、例えば充電機能を有し、かつインタフェースを有していればパーソナルコンピュータや車載コンピュータであってもよいことは言うまでもない。
【産業上の利用可能性】
【０１１３】
本発明は、例えば、携帯電話等の携帯電子機器と、その携帯電子機器に充電を行う充電器に適用できる。
【図面の簡単な説明】
【０１１４】
【図１】本発明の一実施形態に係る電子機器充電システムの全体構成図である。
【図２】（Ａ），（Ｂ）は図１に示した電子機器充電システムを説明するための図である。（Ａ）は図１に示した携帯電子機器の外観を示す斜視図。（Ｂ）は、図２（Ａ）に示した携帯電子機器と充電器を接続した状態を示す斜視図である。
【図３】（Ａ）は非充電中の携帯電子機器の表示画面を示す図である。（Ｂ）は充電中の携帯電子機器２の表示画面を示す図である。（Ｃ）は充電器の表示部の表示画面を示す図である。
【図４】図２に示した携帯電子機器の動作の一具体例を示すフローチャートである。
【図５】図４に示した充電時のテレビ電話機能を説明するためのフローチャートである。
【図６】図３に示した充電時のＴＶ電話機能を説明するためのフローチャートである。
【図７】本発明に係る電子機器充電システムの動作の一具体例を説明するためのフローチャートである。
【図８】本発明に係る電子機器充電システムの動作の一具体例を説明するためのフローチャートである。
【図９】本発明に係る電子機器充電システムの動作の一具体例を説明するためのフローチャートである。
【符号の説明】
【０１１５】
１…電子機器充電システム、２…携帯電子機器、３…充電器、２０１…インタフェース（Ｉ／Ｆ）、２０２…充電端子、２０３…電源回路、２０４…２次電源、２０５…チューナ、２０６…通信部、２０７…撮像部、２０８…アナログ／デジタル変換部（Ａ／Ｄ）、２０９…バッファ、２１０…音声処理部、２１１…表示部、２１２…入力部、２１３…メモリ、２１４…制御部（ＣＰＵ：Central Processing Unit）、３０１…インタフェース（Ｉ／Ｆ）、３０２…給電端子、３０３…充電回路、３０４…電源回路、３０５…メモリ、３０６…表示部、３０７…キー入力部、３０８…制御部（ＣＰＵ）。
【図１】
2005277697.tif 000003
【図２】
2005277697.tif 000004
【図３】
2005277697.tif 000005
【図４】
2005277697.tif 000006
【図５】
2005277697.tif 000007
【図６】
2005277697.tif 000008
【図７】
2005277697.tif 000009
【図８】
2005277697.tif 000010
【図９】
2005277697.tif 000011